(57)【要約】【課題】生産性を向上でき、かつ複数のビーム光の間隔を調整することが可能な光源装置、及び画像表示装置を提供すること。【解決手段】ビーム光を供給する複数の光源部１１ａ、１１ｂ、１１ｃ、１１ｄ、１１ｅと、光源部１１ａ、１１ｂ、１１ｃ、１１ｄ、１１ｅの出射側に設けられ、ビーム光同士の間隔を調整するビーム光間隔調整部である平行平板１３と、を有し、光源部１１ａ、１１ｂ、１１ｃ、１１ｄ、１１ｅは、複数のビーム光を特定方向であるｘ方向へ並列させ、平行平板１３は、ｘ方向についてビーム光同士の間隔を調整する。【選択図】図１
2007156057.tif 000002
【特許請求の範囲】
【請求項１】
ビーム光を供給する複数の光源部と、
前記光源部の出射側に設けられ、前記ビーム光同士の間隔を調整するビーム光間隔調整
部と、を有することを特徴とする光源装置。
【請求項２】
前記ビーム光間隔調整部は、前記ビーム光を透過させる平行平板であることを特徴とす
る請求項１に記載の光源装置。
【請求項３】
前記光源部は、複数の前記ビーム光を特定方向へ並列させ、
前記ビーム光間隔調整部は、前記特定方向について前記ビーム光同士の間隔を調整する
ことを特徴とする請求項１又は２に記載の光源装置。
【請求項４】
前記光源部は、複数の前記ビーム光を第１の方向と、前記第１の方向に略直交する第２
の方向へ並列させ、
前記ビーム光間隔調整部は、前記第１の方向及び前記第２の方向について、前記ビーム
光同士の間隔を調整することを特徴とする請求項１又は２に記載の光源装置。
【請求項５】
前記ビーム光間隔調整部は、
前記第１の方向について前記ビーム光同士の間隔を調整する第１ビーム光間隔調整部と
、
前記第２の方向について前記ビーム光同士の間隔を調整する第２ビーム光間隔調整部と
、を有することを特徴とする請求項４に記載の光源装置。
【請求項６】
前記ビーム光間隔調整部は、複数の前記ビーム光が並列している領域のうち特定位置の
方向へ前記ビーム光をシフトさせることを特徴とする請求項１〜５のいずれか一項に記載
の光源装置。
【請求項７】
前記ビーム光間隔調整部は、前記ビーム光同士の間隔がいずれも略同一となるように前
記ビーム光をシフトさせることを特徴とする請求項６に記載の光源装置。
【請求項８】
前記ビーム光間隔調整部は、前記ビーム光ごとに設けられた平行平板であって、
前記平行平板は、前記平行平板へ入射する前記ビーム光が前記特定位置から離れている
ほど、前記平行平板の法線と前記ビーム光とがなす角度が大きくなるように配置されるこ
とを特徴とする請求項７に記載の光源装置。
【請求項９】
前記ビーム光間隔調整部は、前記ビーム光ごとに設けられた平行平板であって、
前記平行平板は、前記平行平板へ入射する前記ビーム光が前記特定位置から離れている
ほど厚みが厚くなるように構成されることを特徴とする請求項７に記載の光源装置。
【請求項１０】
前記ビーム光間隔調整部は、前記ビーム光ごとに設けられた平行平板であって、
前記平行平板は、前記平行平板へ入射する前記ビーム光が前記特定位置から離れている
ほど枚数が多くなるように配置されることを特徴とする請求項７に記載の光源装置。
【請求項１１】
前記ビーム光間隔調整部は、複数の前記ビーム光を透過させる透過体であって、
前記透過体は、前記透過体へ入射する前記ビーム光が前記特定位置から離れているに従
い厚みが増すような段形状を有することを特徴とする請求項７に記載の光源装置。
【請求項１２】
請求項１〜１１のいずれか一項に記載の光源装置を備えることを特徴とする画像表示装
置。
【発明の詳細な説明】
【技術分野】
【０００１】
本発明は、光源装置及び画像表示装置、特に、画像信号に応じて変調された複数のレー
ザ光を走査させる画像表示装置に用いられる光源装置の技術に関する。
【背景技術】
【０００２】
近年、半導体レーザの高出力化や青色半導体レーザの開発に伴い、レーザ光源を用いた
プロジェクタやディスプレイが提案されている。レーザ光は、単一波長であるため色純度
が高い、コヒーレンスが高く整形が容易である等の特徴を有する。レーザ光源を用いるこ
とで、従来のプロジェクタ等と比較して、小型化や構成要素の減少も可能と考えられる。
このことから、レーザ光を用いることで、小型な構成により高解像度かつ良好な色再現性
の画像を表示することが期待されている。レーザ光を用いて画像を表示するには、画像信
号に応じて変調されたビーム状のレーザ光を二次元方向へ走査させることが考えられる。
赤色（Ｒ）、緑色（Ｇ）、青色（Ｂ）の各レーザ光を１つのビーム光に合成することによ
り、１つのビーム光を単独の走査部により走査させる簡易な構成を用いることができる。
但し、Ｒ、Ｇ、Ｂの各レーザ光を１つのビーム光に合成するには、レーザ光のずれを低減
するために、各部の位置に対する高精度な調整が必要となる。画像表示装置の製造時にお
いて各部を取り付けるごとに精緻な位置合わせが必要である場合、画像表示装置の量産性
を向上することが困難となることが考えられる。そこで、例えば、特許文献１〜３に提案
される技術を用いることにより、レーザ光の光軸を調整することが考えられる。
【０００３】
【特許文献１】特開平５−６２２１０号公報
【特許文献２】特開平７−８５４８２号公報
【特許文献３】特開２００３−８５８１１号公報
【特許文献４】特開２００３−２８１７７３号公報
【発明の開示】
【発明が解決しようとする課題】
【０００４】
レーザ光により表示する画像を明るくするために、同色かつ複数のレーザ光を同時に走
査させることが考えられている。安定かつ高速な駆動を行うために走査部は小型にするこ
とが望ましいことから、光源部同士の間隔より狭い間隔で複数のレーザ光が並列するよう
に、各レーザ光の間隔を調整する必要がある。しかしながら、特許文献１〜４に提案され
る技術はいずれも単独の光源又は光源ユニットからのビーム光の光軸を調整するものであ
ることから、レーザ光同士の間隔の制御において各技術をそのまま適用することは困難で
ある。このように、従来の技術によると、生産性を向上でき、かつ複数のビーム光の間隔
を調整することが困難であるという問題を生じる。本発明は、上述の問題に鑑みてなされ
たものであり、生産性を向上でき、かつ複数のビーム光の間隔を調整することが可能な光
源装置、及び画像表示装置を提供することを目的とする。
【課題を解決するための手段】
【０００５】
上述した課題を解決し、目的を達成するために、本発明によれば、ビーム光を供給する
複数の光源部と、光源部の出射側に設けられ、ビーム光同士の間隔を調整するビーム間隔
調整部と、を有することを特徴とする光源装置を提供することができる。
【０００６】
光源装置には、光源部のほか、例えばビーム光を平行化させるコリメータ光学系、ビー
ムを整形するビーム整形光学系、ビーム径を調整するビーム径調整光学系、ビーム光の強
度を変調する変調器等が設けられる。各光源部についてビーム間隔調整部を設けることに
より、光源装置を構成する各部について通常の精度で組み付けた後ビーム光の間隔を調整
することが可能となる。光源装置を構成する各部を通常の精度で組み付けることを可能と
することで、光源装置の量産性を向上させることができる。また、光源部からビーム間隔
調整部までの構成をユニット化することで、生産性を向上させることも可能である。これ
により、生産性を向上でき、かつ複数のビーム光の間隔を調整することが可能な光源装置
を得られる。
【０００７】
また、本発明の好ましい態様としては、ビーム光間隔調整部は、ビーム光を透過させる
平行平板であることが望ましい。平行平板は、厚み、傾き、及び屈折率に応じてビーム光
をシフトさせる。光源装置を画像表示装置等に組み付けた後、平行平板の傾きを適宜調整
することで、容易にビーム光の間隔を調整することができる。また、平行平板を用いる場
合、ビーム径を変化させずにビーム光をシフト可能である上、入射時に対して略平行なビ
ーム光を出射させることも可能である。これにより、容易にビーム光の間隔を調整可能な
構成とすることができる。
【０００８】
また、本発明の好ましい態様としては、光源部は、複数のビーム光を特定方向へ並列さ
せ、ビーム光間隔調整部は、特定方向についてビーム光同士の間隔を調整することが望ま
しい。これにより、ビーム光を並列させる一次元方向について間隔が調整された複数のビ
ーム光を供給することができる。
【０００９】
また、本発明の好ましい態様としては、光源部は、複数のビーム光を第１の方向と、第
１の方向に略直交する第２の方向へ並列させ、ビーム光間隔調整部は、第１の方向及び第
２の方向について、ビーム光同士の間隔を調整することが望ましい。これにより、二次元
方向について間隔が調整された複数のビーム光を供給することができる。
【００１０】
また、本発明の好ましい態様としては、ビーム光間隔調整部は、第１の方向についてビ
ーム光同士の間隔を調整する第１ビーム光間隔調整部と、第２の方向についてビーム光同
士の間隔を調整する第２ビーム光間隔調整部と、を有することが望ましい。これにより、
第１の方向、及び第２の方向についてそれぞれ独立した構成により、ビーム光の間隔を調
整することができる。
【００１１】
また、本発明の好ましい態様としては、ビーム光間隔調整部は、複数のビーム光が並列
している領域のうち特定位置の方向へビーム光をシフトさせることが望ましい。これによ
り、ビーム光同士の間隔を狭めることができる。
【００１２】
また、本発明の好ましい態様としては、ビーム光間隔調整部は、ビーム光同士の間隔が
いずれも略同一となるようにビーム光をシフトさせることが望ましい。これにより、略同
一の間隔に狭められた複数のビーム光を供給することができる。
【００１３】
また、本発明の好ましい態様としては、ビーム光間隔調整部は、ビーム光ごとに設けら
れた平行平板であって、平行平板は、平行平板へ入射するビーム光が特定位置から離れて
いるほど、平行平板の法線とビーム光とがなす角度が大きくなるように配置されることが
望ましい。平行平板の法線とビーム光とがなす角度を大きくするほど、ビーム光を大きく
シフトさせることが可能である。これにより、ビーム光同士の間隔がいずれも略同一とな
るようにビーム光をシフトさせることができる。
【００１４】
また、本発明の好ましい態様としては、ビーム光間隔調整部は、ビーム光ごとに設けら
れた平行平板であって、平行平板は、平行平板へ入射するビーム光が特定位置から離れて
いるほど厚みが厚くなるように構成されることが望ましい。平行平板の厚みが厚いほど、
ビーム光を大きくシフトさせることが可能である。これにより、ビーム光同士の間隔がい
ずれも略同一となるようにビーム光をシフトさせることができる。
【００１５】
また、本発明の好ましい態様としては、ビーム光間隔調整部は、ビーム光ごとに設けら
れた平行平板であって、平行平板は、平行平板へ入射するビーム光が特定位置から離れて
いるほど枚数が多くなるように配置されることが望ましい。平行平板の枚数が多いほど、
ビーム光を大きくシフトさせることが可能である。これにより、ビーム光同士の間隔がい
ずれも略同一となるようにビーム光をシフトさせることができる。
【００１６】
また、本発明の好ましい態様としては、ビーム光間隔調整部は、複数のビーム光を透過
させる透過体であって、透過体は、透過体へ入射するビーム光が特定位置から離れている
に従い厚みが増すような段形状を有することが望ましい。透過体の厚みが厚いほど、ビー
ム光を大きくシフトさせることが可能である。これにより、ビーム光同士の間隔がいずれ
も略同一となるようにビーム光をシフトさせることができる。
【００１７】
さらに、本発明によれば、上記の光源装置を備えることを特徴とする画像表示装置を提
供することができる。上記の光源装置を用いることにより、生産性を向上でき、かつ複数
のビーム光の間隔を調整することができる。これにより、生産性を向上でき、かつ複数の
ビーム光を用いることで明るい画像を表示可能な画像表示装置を得られる。
【発明を実施するための最良の形態】
【００１８】
以下に図面を参照して、本発明の実施例を詳細に説明する。
【実施例１】
【００１９】
図１は、本発明の実施例１に係る光源装置１０の概略構成を示す。図２は、光源装置１
０を構成する光源ユニット２０の構成を示す。光源ユニット２０を構成する光源部１１は
、ビーム光であるレーザ光を供給する。光源部１１としては、半導体レーザを用いること
ができる。コリメータレンズ１２は、光源部１１からのレーザ光を平行化する。平行平板
１３は、互いに略平行な入射面１４及び出射面１５を備える平板状の透明部材である。平
行平板１３は、レーザ光に対して入射面１４及び出射面１５が傾けられるように配置され
ている。レーザ光は、平行平板１３の入射面１４及び出射面１５における屈折によりシフ
トする。
【００２０】
図１に示す光源装置１０は、５つの光源ユニット２０を並列させて構成されている。光
源装置１０に設けられた５つの光源部１１ａ、１１ｂ、１１ｃ、１１ｄ、１１ｅは、同色
のレーザ光を供給する。ここで、同色とは、波長領域が同一又は近似することをいうもの
とする。光源部１１ａ〜１１ｅは、特定方向であるｘ方向に並列されている。各光源部１
１ａ〜１１ｅからの各レーザ光は、略同一の方向へ供給される。平行平板１３は、光源部
１１ａ〜１１ｅのうち中心の光源部１１ｃ以外の４つの光源部１１ａ、１１ｂ、１１ｄ、
１１ｅに対して設けられている。平行平板１３は、レーザ光同士の間隔を調整するビーム
光間隔調整部である。ビーム光間隔調整部である平行平板１３は、特定方向であるｘ方向
についてレーザ光同士の間隔を調整する。
【００２１】
なお、光源ユニット２０には、光源部１１、コリメータレンズ１２、平行平板１３以外
の他の構成、例えば、ビーム整形光学系、ビーム径調整光学系、変調器等を設けることと
しても良い。ビーム整形光学系は、レーザ光の断面形状を整形する。ビーム整形光学系と
しては、例えば、プリズムやピンホールを用いることができる。ビーム径調整光学系は、
レーザ光のビーム径を調整する。ビーム径調整光学系としては、例えば、ビームエキスパ
ンダを用いることができる。変調器は、レーザ光の強度を変調する。変調器としては、例
えば、音響光学素子（ＡＯＭ）や電気光学素子（ＥＯＭ）を用いることができる。ビーム
整形光学系、ビーム径調整光学系、変調器は、コリメータレンズ１２及び平行平板１３の
間の光路中に設けることができる。光源部１１ａ〜１１ｅとしては、半導体レーザを用い
る構成に限られず、ビーム状の光を供給可能な構成であれば良い。例えば、光源部１１ａ
〜１１ｅとして、固体レーザ、液体レーザ、ガスレーザや、半導体レーザ励起固体（ＤＰ
ＳＳ）レーザを用いても良い。
【００２２】
図３は、平行平板１３によるレーザ光のシフトについて説明するものである。平行平板
１３は、平行平板１３の法線Ｎに対してレーザ光Ｌの光線が角度θをなすように配置され
ているとする。この場合、厚みｔ、屈折率ｎの平行平板１３を透過することによるレーザ
光Ｌのシフト量ｄは、以下の式（１）により示される。
【００２３】
【数１】
2007156057.tif 000003
【００２４】
平行平板１３は、厚みｔ、角度θ（傾き）、及び屈折率ｎに応じてレーザ光Ｌをシフト
させる。平行平板１３は、光路中のいずれの位置へ平行平板１３を配置する場合も同様に
レーザ光Ｌをシフトさせることが可能である。平行平板１３は、入射時と出射時とでレー
ザ光Ｌのビーム径を変化させずにレーザ光Ｌをシフトさせることが可能である。また、平
行平板１３は、入射時に対して略平行なレーザ光を出射させることも可能である。
【００２５】
図１に戻って、光源部１１ａ〜１１ｅのうち中心の光源部１１ｃからのレーザ光Ｌｃは
、コリメータレンズ１２を透過した後シフトされずそのまま出射する。中心の光源部１１
ｃよりプラスｘ側に設けられた２つの光源部１１ａ、１１ｂからのレーザ光は、平行平板
１３により、マイナスｘ側へシフトされる。中心の光源部１１ｃよりマイナスｘ側に設け
られた２つの光源部１１ｄ、１１ｅに対して設けられる平行平板１３は、プラスｘ側の光
源部１１ａ、１１ｂに対して設けられる平行平板１３とは逆の傾きをなすように配置され
ている。マイナスｘ側の２つの光源部１１ｄ、１１ｅからのレーザ光は、平行平板１３に
より、プラスｘ側へシフトされる。このように、４つの平行平板１３は、５つのレーザ光
が並列している領域のうち、中心のレーザ光Ｌｃの方向へ各レーザ光をシフトさせる。
【００２６】
５つのレーザ光が並列している領域のうちの特定位置の方向へ各レーザ光をシフトさせ
ることにより、光源部１１ａ〜１１ｅからの出射時よりもレーザ光同士の間隔を狭めるこ
とが可能となる。なお、ビーム光をシフトさせるのは、中心のレーザ光Ｌｃの方向である
場合に限られず、他の位置の方向であっても良い。
【００２７】
平行平板１３は、傾きを適宜調整することで、容易にレーザ光のシフト量を調整するこ
とができる。光源装置１０は、レーザ光をシフトさせる光源部１１ａ、１１ｂ、１１ｄ、
１１ｅに平行平板１３を設けることにより、光源装置１０を画像表示装置等に組み付けた
後、平行平板１３の傾きを調整することで容易にレーザ光の間隔を調整することができる
。また、光源装置１０を構成する各部について通常の精度で組み付けた後レーザ光の間隔
を調整することも可能である。
【００２８】
光源装置１０を構成する各部を通常の精度で組み付けることを可能とすることで、光源
装置１０の量産性を向上させることができる。また、光源部１１から平行平板１３までの
構成をユニット化することで、生産性を向上させることも可能である。これにより、生産
性を向上でき、かつ複数のビーム光の間隔を調整することができるという効果を奏する。
本発明の光源装置１０は、複数のレーザ光を用いて画像を表示する画像表示装置に用いる
場合に有用である。
【００２９】
本発明の光源装置は、光源部を二次元方向についてアレイ状に配置する構成としても良
い。例えば、図４に示すように、ｘ方向へ５つ、ｙ方向へ５つの光源部４１をアレイ状に
配置する構成とすることが可能である。ｘ方向を第１の方向とすると、ｙ方向は、第１の
方向であるｘ方向に略直交する第２の方向である。各光源部４１からのレーザ光は、例え
ば、中心の光源部４１ａからのレーザ光の方向へシフトさせる。ビーム光間隔調整部は、
中心の光源部４１ａ以外の光源部４１に対して設けられている。中心の光源部４１ａを通
過するｘ軸上に位置する４つの光源部４１については、ｘ方向のみについてレーザ光のシ
フトを行う。中心の光源部４１ａを通過するｙ軸上に位置する４つの光源部４１について
は、ｙ方向のみについてレーザ光のシフトを行う。中心の光源部４１ａを通過するｘ軸、
ｙ軸のいずれからも外れた位置にある１２個の光源部４１については、ｘ方向及びｙ方向
についてレーザ光のシフトを行う。
【００３０】
図５は、ｘ方向及びｙ方向についてレーザ光Ｌをシフトさせるための構成を説明するも
のである。第１平行平板５１は、ｘ方向についてレーザ光Ｌをシフトさせる。第１平行平
板５１は、第１の方向であるｘ方向についてレーザ光同士の間隔を調整する第１ビーム光
間隔調整部である。第１平行平板５１の出射側に設けられた第２平行平板５２は、ｙ方向
についてレーザ光Ｌをシフトさせる。第２平行平板５２は、第２の方向であるｙ方向につ
いてレーザ光同士の間隔を調整する第２ビーム光間隔調整部である。なお、第２平行平板
５２を光源部側、第１平行平板５１を第２平行平板５２の出射側に配置することとしても
良い。第１平行平板５１及び第２平行平板５２を用いることにより、二次元方向について
間隔が調整された複数のレーザ光を供給することが可能となる。また、第１の方向、及び
第２の方向についてそれぞれ独立した構成である第１ビーム光間隔調整部、第２ビーム光
間隔調整部により、レーザ光の間隔を調整することができる。
【００３１】
図６は、ｘ方向及びｙ方向についてレーザ光をシフトさせるための他の構成を説明する
ものである。平行平板６１は、ｙ軸に沿う回転軸６２により、平行平板６１の周囲に設け
られた外枠部６３に連結されている。平行平板６１は、外枠部６３とともにジンバル構造
をなしている。外枠部６３は、ｘ軸に沿う回転軸６４により、不図示の支持部に連結され
ている。平行平板６１は、回転軸６４を中心として外枠部６３が回動することにより、ｙ
方向についてレーザ光をシフトさせるように変位する。また、平行平板６１は、回転軸６
２を中心として回動することにより、ｘ方向についてレーザ光をシフトさせるように変位
する。このようにして、ビーム光間隔調整部である平行平板６１は、ｘ方向及びｙ方向に
ついて、レーザ光の間隔を調整する。この場合、第１の方向、及び第２の方向について単
独の構成を用いて、レーザ光の間隔を調整することができる。
【００３２】
図７は、ｘ方向及びｙ方向についてレーザ光をシフトさせるためのさらに他の構成を説
明するものである。平行平板７１は、ｙ軸に沿う回転軸７２により、支持部７３に連結さ
れている。回転ステージ７４は、ｙｚ面に略平行な円形状をなしている。回転ステージ７
４は、かかる円形状の中心位置を中心として回転可能に構成されている。支持部７３は、
回転ステージ７４の円形状の直径上にて平行平板７１を支持する。平行平板７１は、回転
ステージ７４の回転により、ｙ方向についてレーザ光をシフトさせるように変位する。ま
た、平行平板７１は、回転軸７２を中心として回動することにより、ｘ方向についてレー
ザ光をシフトさせるように変位する。このようにして、ビーム光間隔調整部である平行平
板７１は、ｘ方向及びｙ方向について、レーザ光の間隔を調整する。
【００３３】
図８は、本実施例の変形例１に係る光源装置８０の概略構成を示す。本変形例の光源装
置８０は、ビーム光間隔調整部である各平行平板８３ａ、８３ｂ、８３ｄ、８３ｅにより
、レーザ光同士の間隔がいずれも略同一となるようにレーザ光をシフトさせることを特徴
とする。以下の各変形例では、ｘ方向についてのレーザ光の間隔の調整について説明する
。ｙ方向についても、ｘ方向の場合と同様にしてレーザ光の間隔の調整を行うことができ
る。
【００３４】
各平行平板８３ａ、８３ｂ、８３ｄ、８３ｅは、いずれも略同一の屈折率及び厚みを有
する。中心の光源部１１ｃよりプラスｘ側では、中心の光源部１１ｃに近い光源部１１ｂ
に対する平行平板８３ｂより、中心の光源部１１ｃから遠い光源部１１ａに対する平行平
板８３ａのほうが、平行平板の法線とレーザ光とがなす角度が大きい。中心の光源部１１
ｃよりマイナスｘ側でも、中心の光源部１１ｃに近い光源部１１ｄに対する平行平板８３
ｄより、中心の光源部１１ｃから遠い光源部１１ｅに対する平行平板８３ｅのほうが、平
行平板の法線とレーザ光とがなす角度が大きい。
【００３５】
このように、平行平板８３ａ、８３ｂ、８３ｄ、８３ｅは、平行平板へ入射するレーザ
光が中心のレーザ光Ｌｃから離れているほど、平行平板の法線とレーザ光とがなす角度が
大きくなるように配置されている。このようにして、中心のレーザ光Ｌｃから離れるに従
いレーザ光のシフト量を大きくすることが可能となる。平行平板８３ａ、８３ｂ、８３ｄ
、８３ｅの傾きを適宜調節することにより、レーザ光同士の間隔をいずれも略同一とする
ことができる。
【００３６】
図９は、本実施例の変形例２に係る光源装置９０の概略構成を示す。本変形例の光源装
置９０は、平行平板９３ａ、９３ｂ、９３ｄ、９３ｅの厚みを適宜調節することでレーザ
光同士の間隔を略同一とすることを特徴とする。各平行平板９３ａ、９３ｂ、９３ｄ、９
３ｅは、いずれも略同一の屈折率を有する。中心の光源部１１ｃよりプラスｘ側では、中
心の光源部１１ｃに近い光源部１１ｂに対する平行平板９３ｂより、中心の光源部１１ｃ
から遠い光源部１１ａに対する平行平板９３ａのほうが厚くなるように構成されている。
２つの平行平板９３ａ、９３ｂは、略同一の傾きで配置されている。
【００３７】
中心の光源部１１ｃよりマイナスｘ側でも、中心の光源部１１ｃに近い光源部１１ｄに
対する平行平板９３ｄより、中心の光源部１１ｃから遠い光源部１１ｅに対する平行平板
９３ｅのほうが厚くなるように構成されている。２つの平行平板９３ｄ、９３ｅは、略同
一の傾きで配置されている。このように、平行平板９３ａ、９３ｂ、９３ｄ、９３ｅは、
平行平板へ入射するレーザ光が中心のレーザ光Ｌｃから離れているほど厚みが厚くなるよ
うに構成されている。このようにして、中心のレーザ光Ｌｃから離れるに従いレーザ光の
シフト量を大きくすることが可能となる。
【００３８】
図１０は、本実施例の変形例３に係る光源装置１００の概略構成を示す。本変形例の光
源装置１００は、平行平板の枚数を適宜調節することでレーザ光同士の間隔を略同一とす
ることを特徴とする。各平行平板１０３ａ、１０３ｂ、１０３ｄ、１０３ｅ、１０４ａ、
１０４ｅは、いずれも略同一の屈折率及び厚みを有する。中心の光源部１１ｃよりプラス
ｘ側では、中心の光源部１１ｃに近い光源部１１ｂに対して１枚の平行平板１０３ｂが配
置されるのに対して、中心の光源部１１ｃから遠い光源部１１ａに対しては２枚の平行平
板１０３ａ、１０４ａが配置されている。各平行平板１０３ａ、１０４ａ、１０３ｂは、
いずれも略同一の傾きで配置されている。
【００３９】
中心の光源部１１ｃよりマイナスｘ側でも、中心の光源部１１ｃに近い光源部１１ｄに
対して１枚の平行平板１０３ｄが配置されるのに対して、中心の光源部１１ｃから遠い光
源部１１ｅに対しては２枚の平行平板１０３ｅ、１０４ｅが配置されている。各平行平板
１０３ｄ、１０３ｅ、１０４ｅは、いずれも略同一の傾きで配置されている。このように
、平行平板は、平行平板へ入射するレーザ光が中心のレーザ光Ｌｃから離れているほど枚
数が多くなるように配置されている。このようにして、中心のレーザ光Ｌｃから離れるに
従いレーザ光のシフト量を大きくすることが可能となる。
【００４０】
図１１は、本実施例の変形例４に係る光源装置１１０の概略構成を示す。本変形例の光
源装置１１０は、２つの透過体１１３、１１４によりレーザ光同士の間隔を略同一とする
ことを特徴とする。透過体１１３、１１４は、透明部材により構成されている。透過体１
１３、１１４は、レーザ光同士の間隔を調整するビーム光間隔調整部である。２つの透過
体１１３、１１４は、いずれも略同一の屈折率を有し、かつ互いに略回転対称な形状を有
する。
【００４１】
一方の透過体１１３は、中心の光源部１１ｃよりプラスｘ側の２つの光源部１１ａ、１
１ｂからの２つのレーザ光Ｌａ、Ｌｂを透過させる。透過体１１３は、中心のレーザ光Ｌ
ｃから遠くのレーザ光Ｌａを透過させる部分が、中心のレーザ光Ｌｃに近いレーザ光Ｌｂ
を透過する部分より厚みが増すような段形状を有する。他方の透過体１１４は、中心の光
源部１１ｃよりマイナスｘ側の２つの光源部１１ｄ、１１ｅからの２つのレーザ光Ｌｄ、
Ｌｅを透過させる。透過体１１４は、中心のレーザ光Ｌｃから遠くのレーザ光Ｌｅを透過
する部分が、中心のレーザ光Ｌｃに近いレーザ光Ｌｄを透過させる部分より厚みが増すよ
うな段形状を有する。このように、透過体１１３、１１４は、透過体１１３、１１４へ入
射するレーザ光が中心のレーザ光Ｌｃから離れているに従い厚みが増すような段形状を有
する。このようにして、中心のレーザ光Ｌｃから離れるに従いレーザ光のシフト量を大き
くすることが可能となる。
【実施例２】
【００４２】
図１２は、本発明の実施例２に係る画像表示装置１２０の概略構成を示す。画像表示装
置１２０は、スクリーン１２９の一方の面にレーザ光を供給し、スクリーン１２９の他方
の面から出射される光を観察することで画像を鑑賞する、いわゆるリアプロジェクタであ
る。画像表示装置１２０は、画像信号に応じて変調されたビーム光を走査させることによ
り画像を表示する。
【００４３】
画像表示装置１２０は、赤色光（以下、「Ｒ光」という。）を供給するＲ光用光源装置
１２１Ｒと、緑色光（以下、「Ｇ光」という。）を供給するＧ光用光源装置１２１Ｇと、
青色光（以下、「Ｂ光」という。）を供給するＢ光用光源装置１２１Ｂと、を有する。各
色光用光源装置１２１Ｒ、１２１Ｇ、１２１Ｂは、いずれも上記実施例１の光源装置１０
（図１参照。）と同様の構成を有する。Ｒ光用光源装置１２１Ｒは、Ｒ光を供給する複数
の光源部を有する。Ｇ光用光源装置１２１Ｇは、Ｇ光を供給する複数の光源部を有する。
Ｂ光用光源装置１２１Ｂは、Ｂ光を供給する複数の光源部を有する。なお、図１に示した
ｘ方向、ｙ方向、ｚ方向は、図１２のＸ方向、Ｙ方向、Ｚ方向に対応している。
【００４４】
各色光用光源装置１２１Ｒ、１２１Ｇ、１２１Ｂからの各色光は、クロスダイクロイッ
クプリズム１２３により合成される。クロスダイクロイックプリズム１２３は、２つのダ
イクロイック膜１２３ａ、１２３ｂを有する。第１ダイクロイック膜１２３ａ、及び第２
ダイクロイック膜１２３ｂは、互いに直交するように配置される。Ｒ光用光源装置１２１
ＲからのＲ光は、第１ダイクロイック膜１２３ａで反射し、かつ第２ダイクロイック膜１
２３ｂを透過することにより、走査部２００の方向へ進行する。Ｇ光用光源装置１２１Ｇ
からのＧ光は、第１ダイクロイック膜１２３ａ及び第２ダイクロイック膜１２３ｂを透過
することにより、走査部２００の方向へ進行する。Ｂ光用光源装置１２１ＢからのＢ光は
、第２ダイクロイック膜１２３ｂで反射し、かつ第１ダイクロイック膜１２３ａを透過す
ることにより、走査部２００の方向へ進行する。このようにして、クロスダイクロイック
プリズム１２３は、Ｒ光、Ｇ光及びＢ光を合成する。
【００４５】
図１３は、走査部２００の概略構成を示す。走査部２００は、反射ミラー２０２と、反
射ミラー２０２の周囲に設けられた外枠部２０４とを有する、いわゆる二重ジンバル構造
をなしている。外枠部２０４は、回転軸である第１トーションばね２０６によって、不図
示の固定部に連結されている。外枠部２０４は、第１トーションばね２０６の捩れと、元
の状態への復元とを利用して、第１トーションばね２０６を中心として回動する。反射ミ
ラー２０２は、第１トーションばね２０６に略直交する回転軸である第２トーションばね
２０７によって、外枠部２０４に連結されている。反射ミラー２０２は、クロスダイクロ
イックプリズム１２３からの各色光を反射する。反射ミラー２０２は、高反射性の部材、
例えばアルミニウムや銀等の金属薄膜を形成することにより構成できる。反射ミラー２０
２は、例えば、正方形形状をなしている。
【００４６】
反射ミラー２０２は、外枠部２０４が第１トーションばね２０６を中心として回動する
のに連動して、スクリーン１２９においてレーザ光をＹ方向（図１２参照）へ走査させる
ように変位する。また、反射ミラー２０２は、第２トーションばね２０７の捩れと、元の
状態への復元とを利用して、第２トーションばね２０７を中心として回動する。反射ミラ
ー２０２は、第２トーションばね２０７を中心として回動することにより、反射ミラー２
０２で反射したレーザ光をＸ方向へ走査するように変位する。このように、走査部２００
は、複数のＲ光、Ｇ光、Ｂ光をＸ方向とＹ方向へ繰り返し走査させる。走査部２００は、
例えば、ＭＥＭＳ（Micro Electro Mechanical Systems）技術により作成することができ
る。
【００４７】
走査部２００は、例えば画像の１フレーム期間において、副走査方向であるＹ方向へ１
回レーザ光を走査させる間に、主走査方向であるＸ方向について複数回レーザ光を往復さ
せるように反射ミラー２０２を変位させる。Ｘ方向を第１の方向、Ｙ方向を第１の方向に
略直交する第２の方向とすると、走査部２００は、第１の方向へレーザ光を走査する周波
数が、第２の方向へレーザ光を走査する周波数に比べて高くなるように駆動される。なお
、Ｘ方向へのレーザ光の走査を高速に行うために、走査部２００は、第２トーションばね
２０７を中心として反射ミラー２０２を共振動作させる構成とすることが望ましい。反射
ミラー２０２を共振動作させることにより、反射ミラー２０２の変位量を増大させること
ができる。反射ミラー２０２の変位量を増大させることにより、走査部２００は、少ない
エネルギーで効率良くレーザ光を走査させることができる。なお、反射ミラー２０２は、
共振動作以外の動作により駆動することとしても良い。
【００４８】
走査部２００は、電位差に応じた静電力によって駆動する構成のほか、圧電素子の伸縮
力や電磁力を用いて駆動する構成としても良い。走査部２００は、Ｘ方向にレーザ光を走
査する反射ミラーと、Ｙ方向にレーザ光を走査する反射ミラーとを設ける構成としても良
い。さらに、走査部２００は、ガルバノミラーを用いる構成に限らず、複数のミラー片を
有する回転体を回転させるポリゴンミラーを用いても良い。
【００４９】
図１２に戻って、走査部２００からの光は、反射部１２５に入射する。反射部１２５は
、走査部２００からのレーザ光をスクリーン１２９の方向へ反射する。スクリーン１２９
は、筐体１２７の正面に設けられている。筐体１２７は、筐体１２７内部の空間を密閉す
る。スクリーン１２９は、画像信号に応じて変調されたレーザ光を透過させる透過型スク
リーンである。スクリーン１２９は、例えば、光を観察者側へ角度変換するフレネルレン
ズや、光を拡散させるレンチキュラーレンズ、光拡散性を備える拡散板（いずれも不図示
。）等を有する。観察者は、スクリーン１２９から出射する光を観察することで、画像を
鑑賞する。
【００５０】
いずれも上記実施例１の光源装置と同様の構成を有する光源装置１２１Ｒ、１２１Ｇ、
１２１Ｂを用いることにより、生産性を向上でき、かつ複数のレーザ光の間隔を調整する
ことができる。これにより、生産性を向上でき、かつ複数のレーザ光を用いることで明る
い画像を表示することができる。画像表示装置１２０は、リアプロジェクタに限らず、観
察者側に設けられたスクリーンに光を供給し、スクリーンで反射する光を観察することで
画像を鑑賞する、いわゆるフロント投写型のプロジェクタとしても良い。
【産業上の利用可能性】
【００５１】
以上のように、本発明に係る光源装置は、画像信号に応じて変調された複数のレーザ光
を走査させる画像表示装置に用いる場合に適している。
【図面の簡単な説明】
【００５２】
【図１】本発明の実施例１に係る光源装置の概略構成を示す図。
【図２】光源ユニットの構成を示す図。
【図３】平行平板によるレーザ光のシフトについて説明する図。
【図４】アレイ状に配置された光源部について説明する図。
【図５】ｘ方向及びｙ方向へレーザ光をシフトさせるための構成を説明する図。
【図６】ｘ方向及びｙ方向へレーザ光をシフトさせる他の構成を説明する図。
【図７】ｘ方向及びｙ方向へレーザ光をシフトさせるさらに他の構成を説明する図。
【図８】実施例１の変形例１に係る光源装置の概略構成を示す図。
【図９】実施例１の変形例２に係る光源装置の概略構成を示す図。
【図１０】実施例１の変形例３に係る光源装置の概略構成を示す図。
【図１１】実施例１の変形例４に係る光源装置の概略構成を示す図。
【図１２】本発明の実施例２に係る画像表示装置の概略構成を示す図。
【図１３】走査部の概略構成を示す図。
【符号の説明】
【００５３】
１０  光源装置、１１、１１ａ〜１１ｅ  光源部、１２  コリメータレンズ、１３  平
行平板、１４  入射面、１５  出射面、２０  光源ユニット、Ｎ  法線、４１、４１ａ  
光源部、５１  第１平行平板、５２  第２平行平板、６１  平行平板、６２  回転軸、６
３  外枠部、６４  回転軸、７１  平行平板、７２  回転軸、７３  支持部、７４  回転
ステージ、８０  光源装置、８３ａ、８３ｂ、８３ｄ、８３ｅ  平行平板、９０  光源装
置、９３ａ、９３ｂ、９３ｄ、９３ｅ  平行平板、１００  光源装置、１０３ａ、１０３
ｂ、１０３ｄ、１０３ｅ、１０４ａ、１０４ｅ  平行平板、１１０  光源装置、１１３、
１１４  透過体、１２０  画像表示装置、１２１Ｒ  Ｒ光用光源装置、１２１Ｇ  Ｇ光用
光源装置、１２１Ｂ  Ｂ光用光源装置、１２３  クロスダイクロイックプリズム、１２３
ａ  第１ダイクロイック膜、１２３ｂ  第２ダイクロイック膜、１２５  反射部、１２７
筐体、１２９  スクリーン、２００  走査部、２０２  反射ミラー、２０４  外枠部、
２０６  第１トーションばね、２０７  第２トーションばね
【図１】
2007156057.tif 000004
【図２】
2007156057.tif 000005
【図３】
2007156057.tif 000006
【図４】
2007156057.tif 000007
【図５】
2007156057.tif 000008
【図６】
2007156057.tif 000009
【図７】
2007156057.tif 000010
【図８】
2007156057.tif 000011
【図９】
2007156057.tif 000012
【図１０】
2007156057.tif 000013
【図１１】
2007156057.tif 000014
【図１２】
2007156057.tif 000015
【図１３】
2007156057.tif 000016